(57)【要約】      （修正有）【課題】眼鏡を掛けているものが、眩しさを軽減する為に使用する場合に、安価であり、鼻に負担が少なく、どの様な形状の眼鏡の上からでも装着できるオーバーグラスの提供。【解決手段】グラス部３１とその両側端部付近に設けられた、テンプル部に引っ掛ける為の１対の掛合部３２を備えており、素材は樹脂のみ又は樹脂と薄い素材が張り合わされたもので軽く、柔軟性があり、眼鏡の形状にかかわらず掛合部３２を眼鏡のテンプル部に引っ掛け、又は絡めて装着できるオーバーグラス３。【選択図】図１１
2020181101.tif 000002
【特許請求の範囲】
【請求項１】
眼鏡と重ね掛けするオーバーグラスであって、        
前記、眼鏡のレンズ面に対向配置されるグラス部と、
前記、グラス部の両側端部付近に設けられた、テンプル部に引っ掛けるの為の１対の掛合部を備えているオーバーグラス。
【請求項２】
前記、掛合部は、下縁部が上に向かって湾曲した第一湾曲部を備えている請求項１記載のオーバーグラス。
【請求項３】
前記、掛合部は、上縁部が下に向かって湾曲した第二湾曲部を備えている請求項１又は２の記載のオーバーグラス。  
【請求項４】
前記、掛合部は、前記、第一湾曲部と前記、第二湾曲部が交互に連続して備えている求項３記載のオーバーグラス。
【請求項５】
前記、グラス部は前記、眼鏡のレンズ面に対向する面に粘着性を有する前記、請求項１〜４のいずれかに記載のオーバーグラス。
【請求項６】
前記、掛合部と前記、グラス部とは平面状に形成されており、使用時に前記、掛合部を前記、グラス部に対して折り曲げる事ができる前記、請求項１〜５のいずれかに記載のオーバーグラス。
【発明の詳細な説明】
【技術分野】
【０００１】
本発明は、主に眼鏡に装着する為のオーバーグラス関する。
【背景技術】
【０００２】
サングラスは太陽光の眩しさを軽減する為にあるが、通常単体で掛けるものであり、眼鏡をかけている場合は、度付きサングラスを掛けなおすか、撥ね上げ式のサングラスが付随された眼鏡を別に購入しなければいけない。
又、他の方法として眼鏡の上にもう一つサングラスをかけたり、シールをグラス部に貼るものがある。
いずれの場合も、費用が高価になる場合がある。
【０００３】
しかし、眼鏡を掛けている者が、車を運転中に太陽光が眩しい時、眩しさを軽減するためには、サングラスをはね上げ式にした眼鏡や、度付きサングラスを最初から掛けておかなければ、運転している最中に眼鏡をかけ替えるのは危険である、という問題がある。
【０００４】
又、パソコンを使用している時に、ブルーライト軽減する為のグラスもあるが、
市販されているものは、単体でかける仕様であり、眼鏡の上から無理に掛けるか、サイズが合わなければ掛ける事はできないという問題がある。
【０００５】
又、眼鏡の上からサングラスを掛ける事は可能な場合もあるが、二つの眼鏡の荷重により、鼻に負担がかかり痛くなる、という問題点がある。
【先行技術文献】
【特許文献】
【０００６】
【特許文献１】特開2014-126869
【特許文献２】特開2012-127999
【特許文献３】実用新案登録第3119546号(U3119546)
【発明の概要】
【発明が解決しようとする課題】
【０００７】
本発明が解決しようとする課題は、普通の眼鏡をかけている者が太陽光の眩しさを軽減する場合、前記、特許文献１特開2014-126869の様に、グラス部にシールを貼るものがあるが、シールを貼る為に一度眼鏡を外さなければ、丁度良い位置に貼るのは難しく、運転中の場合には直ぐ装着できない。また気泡などが入ると視界が悪くなる。
【０００８】
又、シールは一度使用したものは何度も使用できず、経済的でない。
【０００９】
更に前記、特許文献２の特開2012-127999や実用新案登録第3119546号の様に一体型や眼鏡に最初からセットできる構造の眼鏡は、専用の物を購入しなければならず、普段使用している眼鏡には装着はできず、安価ではなく、デザインもあまり選べない。
【００１０】
眼鏡の上から普通のサングラスやオーバーグラスを掛ける事は可能ではあるが、その場合は2重に眼鏡を掛ける事となり、鼻に荷重がかかり負担となる。
【００１１】
更に、形状が合わなければ上から掛けられない場合もある。
【００１２】
本発明の解決しようとする課題は、眼鏡を掛けている者が、眩しさを抑えたりブルーライトを軽減するために、普段使用している眼鏡からの掛け替えの煩わしさを排除し、
眼鏡の上からさらにオーバーグラスを掛けた場合の鼻への負担を軽減し、安価であり、
どの様な形状の眼鏡にも重ね掛ける事を可能にする為の発明である。
【課題を解決するための手段】
【００１３】
眼鏡と重ね掛けするオーバーグラスであって、前記、眼鏡のレンズ面に対向配置されるグラス部と、前記、グラス部の両側端部付近に設けられたテンプル部に引っ掛けるの為の１対の掛合部を備えているオーバーグラスである。
【００１４】
前記、掛合部は、下縁部が上に向かって湾曲した第一湾曲部を備えている請求項１記載のオーバーグラスである。
【００１５】
前記、掛合部は、上縁部が下に向かって湾曲した第二湾曲部を備えている請求項１又は２の記載のオーバーグラスである。  
【００１６】
前記、掛合部は、前記、第一湾曲部と前記、第二湾曲部が交互に連続して備えている求項３記載のオーバーグラスである。
【００１７】
前記、グラス部は前記、眼鏡のレンズ面に対向する面に粘着性を有する前記、請求項１〜４のいずれかに記載のオーバーグラスである。
【００１８】
前記、掛合部と前記、グラス部とは平面状に形成されており、使用時に前記、グラス部の中央部に折り曲げて鼻掛部に引っ掛ける為の切り込みを備え、又掛合部をグラス部に対して折り曲げる事ができる前記、請求項１〜５のいずれかに記載のオーバーグラスである。
【００１９】
前記、掛合部は、前記、グラス部に付随したひも状の物とその端に重しのついたものを備えている、請求項１〜５のいずれかに記載のオーバーグラスである。
【００２０】
前記、掛合部は、前記、グラス部に付随した針金状のものを備えている、請求項１〜５のいずれかに記載のオーバーグラスである。
【００２１】
前記、グラス部は、薄い樹脂と薄い金属が張り合わされて構成されている、請求項１〜６のいずれかに記載のオーバーグラスである。
【発明の効果】
【００２２】
本発明のオーバーグラスは、掛合部を眼鏡のテンプル部へ引っ掛ける、また絡ませる、という構造であるので、使用者が普段使用している眼鏡を掛けたままの状態で、サングラスや  ブルーライト軽減効果のあるグラスを簡単に装着することができるという効果がある。
【００２３】
本発明のオーバーグラスは、薄いシート状のグラス部と掛合部である為、柔軟性があり、異なった形状の眼鏡や、様々な位置のテンプル部であっても適合し、かけられる、という効果がある。
【００２４】
さらに、グラス部は薄いシート状である為、折りたたんで収納し、手帳などに挟んだりして携帯できる、という効果がある。
【００２５】
又、グラス部は薄いシート状であり、軽量であるので、眼鏡の上から掛けても鼻への負担が少ないという効果がある。
【００２６】
本発明のオーバーグラスは、粘着性のある前面グラス部とテンプル部にかける掛合部により、眼鏡との密着性が増し、安定して固定される、という効果がある。
【００２７】
前記、オーバーグラスの掛合部は、シート状のグラス部と一体成形のものではなく、グラス部に付随している紐状のものの端部に重しが付いている形状でも良く、その重しを眼鏡のテンプル部に上から引っ掛けるだけで、端部の重しのバランスで、眼鏡に装着できるという効果がある。
【００２８】
又、前記、掛合部は、針金の様に自由に曲げる事ができるものでも良く、前記掛合部を眼鏡のテンプル部に巻き付け装着できるという効果がある。
【００２９】
又、前記オーバーグラスは掛合部が針金のように曲げれたり、渦巻き状であるものは、簡単に眼鏡のテンプル部に掛けれるだけでなく、掛合部をテンプル部に巻き付けるようにする事で簡単に外れて落ちないようにできる、という効果がある。
【００３０】
本願発明のオーバーグラスは、薄いシート状のものと、掛合部も薄い樹脂又は紐や針金のような短く軽いパーツのみで構成されており、安価に製造でき、又1度購入すれば連続して使用できるという効果がある。
【図面の簡単な説明】
【００３１】
【図１】本発明のオーバーグラス実施例１を示す斜視図である。
【図２】本発明のオーバーグラス実施例１の使用時の6面図を示す図である。
【図３】本発明のオーバーグラス実施例１の使用前の6面図を示す図である。
【図４】本発明のオーバーグラス実施例１の収納時の6面図を示す図である。
【図５】本発明のオーバーグラス実施例１の装着状態の斜視図である。
【図６】本発明のオーバーグラス実施例２を示す斜視図である。
【図７】本発明のオーバーグラス実施例２の使用時の6面図を示す図である。
【図８】本発明のオーバーグラス実施例２の使用前の6面図を示す図である。
【図９】本発明のオーバーグラス実施例２の収納時の6面図を示す図である。
【図１０】本発明のオーバーグラス実施例２の装着状態の斜視図である。
【図１１】本発明のオーバーグラス実施例３を示す斜視図である。
【図１２】本発明のオーバーグラス実施例３の使用時の6面図を示す図である。
【図１３】本発明のオーバーグラス実施例３の使用前の6面図を示す図である。
【図１４】本発明のオーバーグラス実施例３の収納時の6面図を示す図である。
【図１５】本発明のオーバーグラス実施例３の装着状態の斜視図である。
【図１６】本発明のオーバーグラス実施例４を示す斜視図である。
【図１７】本発明のオーバーグラス実施例４の使用時の6面図を示す図である。
【図１８】本発明のオーバーグラス実施例４の使用前の6面図を示す図である。
【図１９】本発明のオーバーグラス実施例４の収納時の6面図を示す図である。
【図２０】本発明のオーバーグラス実施例４の装着状態の斜視図である。
【図２１】本発明のオーバーグラス実施例５を示す斜視図である。
【図２２】本発明のオーバーグラス実施例５の使用時の6面図を示す図である。
【図２３】本発明のオーバーグラス実施例５の使用前の6面図を示す図である。
【図２４】本発明のオーバーグラス実施例５の収納時の6面図を示す図である。
【図２５】本発明のオーバーグラス実施例５の装着状態の斜視図である。
【図２６】本発明のオーバーグラス実施例６を示す斜視図である。
【図２７】本発明のオーバーグラス実施例６の使用時の6面図を示す図である。
【図２８】本発明のオーバーグラス実施例６の使用前と収納時の6面図を示す図である。
【図２９】本発明のオーバーグラス実施例６の装着状態の斜視図である。
【符号の説明】
【００３２】
１  グラス部  
２  掛合部
【実施例１】
【００３３】
図１を用いて実施例１のオーバーグラス１を説明する。
オーバーグラス１は眼鏡に装着する時の装着状態と販売時等の収納時の収納状態と眼鏡装着する前の装着前状態を有している。
【００３４】
図１にオーバーグラス１の装着状態の斜視図を示す。
図２にオーバーグラス１の装着状態の６面図を示す。
図３にオーバーグラス１の使用前状態の６面図を示す。
図４にオーバーグラス１の収納状態の６面図を示す。
図５に実際に眼鏡に装着した状態を示す。
【００３５】
図１のオーバーグラス１はグラス部１１と、掛合部１２を持っている。
グラス部１１はフレーム部１１１とレンズ部１１２を持っている。
グラス部１１は薄いシート状の樹脂で形成されており、両端の掛合部１２も薄いシート状の樹脂で形成されており、下縁部が上に向かって湾曲した第一湾曲部をもっている。
使用前状態の図3はオーバーグラス１の１１と１２が平面状になっている。
【００３６】
オーバーグラスを眼鏡に装着する時は、使用前状態の図３の１１の部分を図5に示すように眼鏡のレンズの外面側に配置させたのち前記、１２を眼鏡のテンプル側に折り曲げ、テンプル部に対して上方向から引っ掛ける事により眼鏡に装着する。
【００３７】
眼鏡から取り外して次に装着するまでの収納状態は図４に示すように折りたたんでいる。
尚、１１の部分を眼鏡の内面側に装着させた場合にも同様に効果がある。
又、１１２の部分に1次的に固定できるようなに粘着性を持たせても良い。
この場合眼鏡とオーバーグラスがより固定され安定して装着できる。
【実施例２】
【００３８】
図６を用いて実施例２のオーバーグラス２を説明する。
オーバーグラス２は眼鏡に装着する時の装着状態と販売時等の収納時の収納状態と眼鏡装着する前の装着前状態を有している。
【００３９】
図６にオーバーグラス２の装着状態の斜視図を示す。
図７にオーバーグラス２の装着状態の６面図を示す。
図８にオーバーグラス２の使用前状態の６面図を示す。
図９にオーバーグラス２の収納状態の６面図を示す。
図10に実際に眼鏡に装着した状態を示す。
【００４０】
図６のオーバーグラス２はグラス部２１と、掛合部２２を持っている。
グラス２１はフレーム部２１１とレンズ部２１２を持っている。
グラス部２１は薄いシート状の樹脂で形成されており、両端の掛合部２２も薄いシート状の樹脂で形成されており、掛合部２２は下縁部が上に向かって湾曲した第一湾曲部２２１と上縁部が下に向かって湾曲した第二湾曲部２２２を備えており、２２１と２２２は交互に連続している。
【００４１】
使用前状態の図８はオーバーグラス２の２１と２２が平面状になっている。
【００４２】
オーバーグラスを眼鏡に装着する時は、使用前状態の図８の２１の部分を図１０に示すように眼鏡のレンズの外面側に配置させたのち前記、２２を眼鏡のテンプル側に折り曲げ、第一湾曲部２２１を上方向から眼鏡のテンプル部に引っ掛け、第２湾曲部２２２を下方向から引っ掛ける事により、眼鏡に装着する。
尚、２２１と２２２はどちらが２１に近接する部分かであるか否かは関係ないものとする。
【００４３】
眼鏡から取り外して次に装着するまでの収納状態は図９に示すように折りたたんでいる。
尚、２１の部分を眼鏡の内面側に装着させた場合にも同様の効果がある。
【実施例３】
【００４４】
図１１を用いて実施例３のオーバーグラス３を説明する。
オーバーグラス３は眼鏡に装着する時の装着状態と販売時等の収納時の収納状態と眼鏡装着する前の装着前状態を有している。
【００４５】
図１１にオーバーグラス３の装着状態の斜視図を示す。
図１２にオーバーグラス３の装着状態の６面図を示す。
図１３にオーバーグラス３の使用前状態の６面図を示す。
図１４にオーバーグラス３の収納状態の６面図を示す。
図１５に実際に眼鏡に装着した状態を示す。
【００４６】
図１１のオーバーグラス３はグラス部３１と、掛合部３２を持っている。
グラス部３１のフレーム部３１１とレンズ部３１２は印刷により区別されている。
グラス部３１は薄いシート状の樹脂で形成されており、両端の掛合部３２も薄いシート状の樹脂で形成されており、
掛合部３２は下縁部が上に向かって湾曲した第一湾曲部３２１と上縁部が下に向かって湾曲した第二湾曲部３２２を備えており、３２１と３２２は交互に連続し渦巻き状になっている。
使用前状態の図１３はオーバーグラスの３の３１と３２が平面状になっている。
【００４７】
オーバーグラスを眼鏡に装着する時は、使用前状態の図１３の３１の部分を図１５に示すように眼鏡のレンズの外面側に配置させたのち、前記、３２を眼鏡のテンプル側に折り曲げ、
第一湾曲部３２１と第２湾曲部３２２を眼鏡のテンプル部に引っ掛けたり、絡めたりし、眼鏡に装着する。
【００４８】
眼鏡から取り外して次に装着するまでの収納状態は図１４に示すように折りたたんでいる。
尚、３１の部分を眼鏡の内面側に装着させた場合にも同様の効果がある。
【実施例４】
【００４９】
図１６を用いて実施例４のオーバーグラス４を説明する。
オーバーグラス２は眼鏡に装着する時の装着状態と販売時等の収納時の収納状態と眼鏡装着する前の装着前状態を有している。
【００５０】
図１６にオーバーグラス４の装着状態の斜視図を示す。
図１７にオーバーグラス４の装着状態の６面図を示す。
図１８にオーバーグラス４の使用前状態の６面図を示す。
図１９にオーバーグラス４の収納状態の６面図を示す。
図２０に実際に眼鏡に装着した状態を示す。
【００５１】
図１６のオーバーグラス４はグラス部４１と、掛合部４２とを持っている。
グラス部４１はレンズ部４１２と眼鏡のブリッジに引っ掛ける為の切り込み部４１３を持っている。
グラス部４１は薄いシート状の樹脂で形成されており、両端の掛合部４２も薄いシート状の樹脂で形成されており、
掛合部４２は上縁部が上に向かって湾曲した第一湾曲部４２1と下縁部が下に向かって湾曲した第二湾曲部４２２を備えており、４２１と４２２は交互に連続し渦巻き状になっている。
使用前状態の図１８はオーバーグラスの４の４１と４２が平面状になっている。
【００５２】
オーバーグラスを眼鏡に装着する時は、使用前状態の図１８の４１の部分を図２０に示すように眼鏡のレンズの外面側に配置させたのち、前記、４２を眼鏡のテンプル側に折り曲げ、第一湾曲部４２１と第２湾曲部４２２を眼鏡のテンプル部に絡めて、眼鏡に装着する。
【００５３】
眼鏡から取り外して次に装着するまでの収納状態は図１９に示すように折りたたんでいる。
【００５４】
尚、４１の部分を眼鏡の内面側に装着させた場合にも同様の効果がある。
又、前期オーバーグラスのグラス部と掛合部は一体の薄い樹脂で形成されており、グラス部のフレーム部とレンズ部は区別されておらず、又、印刷により描画されたもので良い。
【実施例５】
【００５５】
図２１を用いて実施例５のオーバーグラス５を説明する。
オーバーグラス５は眼鏡に装着する時の装着状態と販売時等の収納時の収納状態と眼鏡装着する前の装着前状態を有している。
【００５６】
図２１はオーバーグラス５の装着状態の斜視図を示す。
図２２にオーバーグラス５の装着状態の６面図を示す。
図２３にオーバーグラス５の使用前状態の６面図を示す。
図２４にオーバーグラス５の収納状態の６面図を示す。
図２５に実際に眼鏡に装着した状態を示す。
【００５７】
図２１のオーバーグラスはグラス部５１と、掛合部５２を持っている。
グラス部５１はフレーム部５１１とレンズ部５１２を持っている。
グラス部５１は薄いシート状の樹脂に薄い金属が張り合わされて形成されており、両端の掛合部５２も薄いシート状の樹脂に薄い金属が張り合わされて形成されており、
掛合部５２は上縁部が上に向かって湾曲した第一湾曲部５２１と下縁部が下に向かって湾曲した第二湾曲部５２２とを備えている。
使用前状態の図２３はオーバーグラス５の５１と５２が平面状になっている。
【００５８】
オーバーグラスを眼鏡に装着する時は、使用前状態の図２３の５１の部分を図２５に示すように眼鏡のレンズの外面側に配置させたのち、前記、掛合部５２を眼鏡のテンプル側に折り曲げ、第一湾曲部５２１と第２湾曲部５２２の間に眼鏡のテンプル部を押し込み、掛合部を引っ掛けて眼鏡に装着する。
【００５９】
眼鏡から取り外して次に装着するまでの収納状態は図２４に示すように折りたたんでいる。
尚、５１の部分を眼鏡の内面側に装着させた場合にも同様の効果がある。
【実施例６】
【００６０】
図２６を用いて実施例６のオーバーグラス６を説明する。
オーバーグラス６は眼鏡に装着する時の装着状態と販売時等の収納時の収納状態と眼鏡装着する前の装着前状態を有している。
図２６はオーバーグラス６の装着状態の斜視図を示す。
図２７にオーバーグラス６の装着状態の６面図を示す。
図２８にオーバーグラス６の使用前状態の６面図を示す。
尚、収納状態の６面図も同じである為省略する。
図２９に実際に眼鏡に装着した状態を示す。
【００６１】
図２６のオーバーグラスはグラス部６１と、掛合部６２を持っている。
グラス部６１はフレーム部６１１とレンズ部６１２を持っている。
グラス部６１に別の素材、掛合部６２が付随している。
グラス部６１は薄いシート状の樹脂で形成されており、両端の掛合部６２はひも状の６２３と重し部６２４を備えている。
使用前状態と収納状態は図２８に示すようにグラス部６１に対して掛合部６２がぶらんとしている。
【００６２】
オーバーグラスを眼鏡に装着する時は、使用前状態の図２８のグラス部６１を図２９に示すように眼鏡のレンズの外面側に配置させたのち、前記、掛合部６２を眼鏡のテンプル部に引っ掛けて、又は絡めて眼鏡に装着する。
【００６３】
尚、６１の部分を眼鏡の内面側に装着させた場合にも同様の効果がある。
又、６２３の部分は針金のような曲げ自由のものでも同様の効果がある。
【００６４】
又、グラス部に1時的に固定できるようなに粘着性を持たせても良い。この場合眼鏡とオーバーグラスがより固定され安定して装着できる。
【００６５】
尚、請求項１−６のオーバーグラスの厚みについては、限定していない。
又、前期オーバーグラスのグラス部と掛合部は薄い樹脂と樹脂又は薄い金属を貼り合わせたものでも良い。
【００６６】
又、前期オーバーグラスのグラス部と掛合部は細い金属または樹脂でフレームが形成されているものに、レンズ部が付随されているものでも良い。
【００６７】
又、前記オーバーグラスのグラス部と掛合部は樹脂成形により成形されたものでもよい。
前期、オーバーグラスのグラス部と掛合部は別々のパーツでできており、掛合部を前面グラス部にクリップ、又は差し込む、又はネジで取り付けるようにしても良い。
【００６８】
尚、図１〜２９は分かりやすくする為に厚みを厚く表示している。
【００６９】
更に、偏光又は減光、ブルーライト軽減の機能のあるフィルムを貼るか又はコーティングを施し、単なるサングラスだけでは得られない効果を不随する事ができる。
【図１】
2020181101.tif 000003
【図２】
2020181101.tif 000004
【図３】
2020181101.tif 000005
【図４】
2020181101.tif 000006
【図５】
2020181101.tif 000007
【図６】
2020181101.tif 000008
【図７】
2020181101.tif 000009
【図８】
2020181101.tif 000010
【図９】
2020181101.tif 000011
【図１０】
2020181101.tif 000012
【図１１】
2020181101.tif 000013
【図１２】
2020181101.tif 000014
【図１３】
2020181101.tif 000015
【図１４】
2020181101.tif 000016
【図１５】
2020181101.tif 000017
【図１６】
2020181101.tif 000018
【図１７】
2020181101.tif 000019
【図１８】
2020181101.tif 000020
【図１９】
2020181101.tif 000021
【図２０】
2020181101.tif 000022
【図２１】
2020181101.tif 000023
【図２２】
2020181101.tif 000024
【図２３】
2020181101.tif 000025
【図２４】
2020181101.tif 000026
【図２５】
2020181101.tif 000027
【図２６】
2020181101.tif 000028
【図２７】
2020181101.tif 000029
【図２８】
2020181101.tif 000030
【図２９】
2020181101.tif 000031